(57)【要約】
【課題】側溝の縦方向に延びた溝と横方向に延びた溝が直交する箇所や、Ｌ型形状で縦方向に延びた溝と横方向に延びた溝が交わる箇所等では、蓋受け部が欠落しており、そのような箇所で敷設されたグレーチングが本来の機能を発揮し、かつ、容易に敷設できる端部補強グレーチングを提供することを目的とする。また、蓋受け部を別に設けることがないので、側溝の流水断面を損ねにくくなるため、設計排水量を侵さないようにすることを目的とする。
【解決手段】グレーチング１の少なくとも一つの端面に補強部２を固着して設け、該補強部２を前記のような側溝６の蓋受け部の欠落部６ａを覆うように敷設する。
【選択図】　　　　図２
0003099739.tif 000002
【実用新案登録請求の範囲】
【請求項１】
　側溝等の開口を覆うグレーチングであって、少なくとも一つの端面に補強部が設けられていることを特徴とする端部補強グレーチング。
【請求項２】
　補強部に補強補助材を設けたことを特徴とする請求項１記載の端部補強グレーチング。
【考案の詳細な説明】
【技術分野】
【０００１】
　本考案は、側溝の縦方向に延びた溝と横方向に延びた溝が直交する箇所や、Ｌ型形状で縦方向に延びた溝と横方向に延びた溝が交わる箇所等では、蓋受け部が欠落しており、そのような箇所に敷設するグレーチングに関するものである。
【背景技術】
【０００２】
　通常、グレーチングを用いるとき、両端支持された状態で敷設されることが望ましいが、例えば、縦方向に延びた溝と横方向に延びた溝が直交する箇所を有する側溝や、Ｌ型形状で縦方向に延びた溝と横方向に延びた溝が交わる箇所を有する側溝等では、グレーチング等を載せる蓋受け部が欠落しており、そのような箇所にグレーチングを敷設すると、敷設直後においては格子状に組まれたグレーチングの剛性により形状保持はするものの、グレーチング上に人や車等が載った場合にグレーチングにかかる局部的な力に対して変形或いは破損することがあり、構造物として機能しない恐れがあった。
【０００３】
　そのため、前記のような状況でグレーチング等を敷設する場合には、別に蓋受け機能を有する鋼材等が設けられ、そのような鋼材等は、例えば、コンクリート側溝の蓋受け部の欠落した部分に埋め込んだり、ボルト等で固定して側溝と固着していた。
【０００４】
　しかし、前記のように別に蓋受け機能を有する鋼材等を設ける場合、側溝の開口部に設けなければならず、それによって流水断面を損ねることになり設計排水量を侵していた。
【特許文献１】平成７年特許公開第３０５４００号
【考案の開示】
【考案が解決しようとする課題】
【０００５】
　従来、例えば、側溝の縦方向に延びた溝と横方向に延びた溝が直交する箇所や、Ｌ型形状で縦方向に延びた溝と横方向に延びた溝が交わる箇所等では、グレーチング等を載せる蓋受け部が欠落しており、そのような箇所にグレーチング等を敷設しようとすると、構造物として機能しない恐れがあった。そのため、蓋受け部が欠落した部分には別に鋼材等で蓋受け部を設けなければならず、グレーチングを敷設するのに手間がかかるとともに、側溝の流水断面を損ねるため設計排水量を侵していた。
【０００６】
　本考案は上記の課題を解決すべく、前記のような蓋受け部の欠落した箇所で敷設されたグレーチングが本来の機能を発揮し、かつ、容易に敷設できる端部補強グレーチングを提供することを目的とする。また、蓋受け部を別に設けることがないので、側溝の流水断面を損ねにくくなるため、設計排水量を侵さないようにすることを目的とする。
【課題を解決するための手段】
【０００７】
　請求項１に係わる考案は、側溝等の開口を覆うグレーチングであって、少なくとも一つの端面に補強部が設けられていることを特徴とする。
【０００８】
　本考案によると、例えば、側溝の縦方向に延びた溝と縦方向に延びた溝が直交する箇所や、Ｌ型形状で縦方向に延びた溝と横方向に延びた溝が交わる箇所等では蓋受け部が欠落しており、そのような箇所にグレーチングを敷設する場合に、容易に敷設でき、補強部がグレーチング端面を補強し、かつ、蓋受け部と同じ機能を果たすので、グレーチング本来の機能を発揮することができる。また、蓋受け部を別に設けることがないので、側溝の流水断面を損ねにくく、設計排水量を侵すことが少ない。
【０００９】
　補強部は、グレーチングの少なくとも一つの端面に設けられている。該補強部は該端面に連結して固着されることにより該端面を補強し、グレーチングに局部的にかかる力を、該補強部を通してグレーチングに全体的に分散することができる。
【００１０】
　例えば、前記のような蓋受け部が欠落した箇所に本考案製品を敷設する場合、補強部が該蓋受け部の欠落した箇所を覆うように設置する。
【００１１】
　補強部には台座部が設けられており、該台座部は該補強部のグレーチング端面に接する面より該グレーチングの反対方向に延びた面であり、蓋受け部に支持される部分については該グレーチング下面と同等の位置とする。蓋受け部の欠落部に接する部分については、該グレーチング下面と同等、或いは、該グレーチング下面より下方、若しくは上方であってもよい。該補強部の上面については、該グレーチングと該補強部が固着したとき凹みができないように該グレーチング上面と同等の位置に設けられる。
【００１２】
　補強部は、該補強部の下面及び上面がグレーチングの下面及び上面と同等の位置にあった場合、例えば、四角形状をした板材や側部開口を有するコの字形状をした板材を用いることを例示として上げることができる。四角形状をした該補強部は角パイプ等を用いることができ、該角パイプ等の材料は容易に準備ができる。側部開口を有するコの字形状の板材を用いた場合には、四角形状をした補強部よりも一面省いているため重量が軽くなり、作業や持ち運び、保管等を容易にすることができる。
【００１３】
　補強部は少なくとも一つのグレーチングの端面に設けられており、使用条件によって設ける数や箇所を変えられる。
【００１４】
　請求項２に係わる考案は、補強部に補強補助材を設けたことを特徴とする。
　本考案によると、グレーチングの用途に応じて対応荷重が異なるため、それに対応できるよう補強部に補強補助材を設ける。これにより、様々なタイプのグレーチングに用いることができる。補強補助材は、例えば、鋼材等のリブ等であってもよく、該補強補助材を補強部の空間部分に嵌合等して固着することが例示できる。
【考案の効果】
【００１５】
　請求項１の考案によると、グレーチングの端面に補強部を設けることで、例えば、縦方向に延びた溝と縦方向に延びた溝が直交する箇所や、Ｌ型形状で縦方向に延びた溝と横方向に延びた溝が交わる箇所を有する側溝等では蓋受け部が欠落しており、そのような箇所にグレーチングを敷設する場合に容易に敷設することができ、補強部がグレーチング端面を補強し、かつ、蓋受け部と同じ機能を果たすので、グレーチング本来の機能を発揮することができる。また、蓋受け部を別に設けることがないので、側溝の流水断面を損ねにくく、設計排水量を侵すことが少ない。
【００１６】
　請求項２の考案によると、対応荷重に応じて補強補助材を設けることで、補強部の強度を上げることができる。
【考案を実施するための最良の形態】
【００１７】
　側溝の縦方向に延びた溝と横方向に延びた溝が直交する箇所や、Ｌ型形状で縦方向に延びた溝と横方向に延びた溝が交わる箇所等では、蓋受け部が欠落しており、そのような箇所で敷設されたグレーチングが本来の機能を発揮し、かつ、容易に敷設でき、設計排水量を侵さないようにする目的を、グレーチング端面に補強部を設けることで実現した。
【実施例１】
【００１８】
　図１ないし図３は請求項１に記載した考案の実施例を示したものである。図１及び図２は第一の実施例を示す。図１は第一の実施例の斜視図を示しており、グレーチング１は、主部材１ａと、並設される主部材１ａと直交する横部材１ｂで構成されている。グレーチング１の端面には補強部として側部開口を有するコの字形状板２を溶接等で固着している。コの字形状板２の蓋受け部に支持される部分はグレーチング１の下面と同等の位置とし、コの字形状板２の上面とグレーチング１の上面は同等の位置とする。
【００１９】
　図２は第一の実施例の使用時を示しており、グレーチング１を縦方向に延びた溝と横方向に延びた溝が直交する箇所を有する側溝５に敷設している。コの字形状板２が蓋受け部６の欠落部６ａを覆うようにして敷設する。
【実施例２】
【００２０】
　図３は第二の実施例を示す。角パイプ７を補強部として用いており、第一の実施例と同様に角パイプ７が蓋受け部６の欠落部６ａを覆うようにして敷設する。角パイプ７の蓋受け部に支持される部分はグレーチング１の下面と同等の位置とし、角パイプ７の上面とグレーチング１の上面は同等の位置とする。
【実施例３】
【００２１】
　図４は第三の実施例を示す。補強補助材８をコの字形状板２の側部開口部分に嵌合させ固着する。図４はコの字形状板４の内側の高さと横長さに合わせた板状の補強補助材８を、コの字形状板２のグレーチング端面と接する側面３と垂直、台座部４と平行になるように間隔をあけて設けている。また、図５のように、コの字形状板２の内側の高さに合わせた板状の補強補助材９を、間隔をあけてグレーチング１端面と接する側面３と平行になるように側部開口部分の台座部４に設けることを例示としてあげられる。
【００２２】
　図６は角パイプ７に補強補助材１０を設けた場合であり、角パイプ７の内面の高さと縦長さに合わせた板状の補強補助材１０を嵌着して溶接等で固着する。補強補助材は他に、角パイプの内側の高さや横、縦又は対角線に合わせた様々な板状の鋼材等が例示され、それらを角パイプの空間部分に嵌合させて固着することができる。
【図面の簡単な説明】
【００２３】
【図１】第一の実施例の斜視図。
【図２】第一の実施例の使用状況を示す参考図。
【図３】第二の実施例の斜視図。
【図４】第三の実施例１の斜視図。
【図５】第三の実施例２の補強部斜視図。
【図６】第三の実施例３の補強部斜視図。
【符号の説明】
【００２４】
　　　　１　　グレーチング
　　　　１ａ　　主部材
　　　　１ｂ　　横部材
　　　　２　　コの字形状板（補強部）
　　　　３　　側面
　　　　４　　台座部
　　　　５　　側溝
　　　　６　　蓋受け部
　　　　６ａ　　欠落部
　　　　７　　角パイプ（補強部）
　　　　８、９、１０　　補強補助材
【図１】
0003099739.tif 000003
【図２】
0003099739.tif 000004
【図３】
0003099739.tif 000005
【図４】
0003099739.tif 000006
【図５】
0003099739.tif 000007
【図６】
0003099739.tif 000008